(57)【特許請求の範囲】
【請求項１】
（ａ）Ｚ−１，１，１，４，４，４−ヘキサフルオロ−２−ブテンと、
（ｂ）２−クロロプロパンと、からなる組成物であって、
モル比（ａ）／（ｂ）が、３３．３／６６．７〜９８．７／１．３の範囲にあり、
前記２−クロロプロパンが前記Ｚ−１，１，１，４，４，４−ヘキサフルオロ−２−ブテンと共沸組み合わせを形成し、
前記共沸組み合わせとは、前記組成物が、１．４ｋＰａ（０．２ｐｓｉａ）〜２３５８ｋＰａ（３４２ｐｓｉａ）の範囲内の所与の圧力下で液体形態にあるとき、−５０℃〜１６０℃の範囲内の一定温度で沸騰し、沸騰中の全体液体組成と同一である蒸気組成を提供することをいう、組成物。
【請求項２】
（ａ）Ｚ−１，１，１，４，４，４−ヘキサフルオロ−２−ブテンと、
（ｂ）２−クロロプロパンと、からなる組成物であって、
モル比（ａ）／（ｂ）が、１／９９〜９９／１の範囲にあり、
前記２−クロロプロパンが前記Ｚ−１，１，１，４，４，４−ヘキサフルオロ−２−ブテンと共沸混合物様組み合わせを形成し、
前記共沸混合物様組み合わせとは、前記組成物の、２０℃〜１６０℃の範囲内の所与の温度での露点圧力と沸点圧力の差が、沸点圧力を基準として５パーセント以下であるような露点圧力と沸点圧力を示すことをいう、組成物。
【請求項３】
共沸もしくは共沸混合物様組成物を発泡剤として使用する工程を含む熱可塑性または熱硬化性発泡体の製造方法であって、
前記共沸もしくは共沸混合物様組成物が、請求項１または２に記載の組成物である、方法。
【請求項４】
共沸もしくは共沸混合物様組成物を凝縮させる工程と、その後冷却されるべき本体の近くで前記共沸もしくは共沸混合物様組成物を蒸発させる工程とを含む冷却を行うための方法であって、
前記共沸もしくは共沸混合物様組成物が、請求項１または２に記載の組成物である、方法。
【請求項５】
共沸もしくは共沸混合物様組成物を溶媒として使用する工程を含む方法であって、
前記共沸もしくは共沸混合物様組成物が、請求項１または２に記載の組成物である、方法。
【請求項６】
共沸もしくは共沸混合物様組成物を噴射剤として使用する工程を含むエアゾール製品の製造方法であって、
前記共沸もしくは共沸混合物様組成物が、請求項１または２に記載の組成物である、方法。
【請求項７】
共沸もしくは共沸混合物様組成物を伝熱媒体として使用する工程を含む方法であって、
前記共沸もしくは共沸混合物様組成物が、請求項１または２に記載の組成物である、方法。
【請求項８】
共沸もしくは共沸混合物様組成物を消火剤または鎮火剤として使用する工程を含む消火または鎮火方法であって、
前記共沸もしくは共沸混合物様組成物が、請求項１または２に記載の組成物である、方法。
【請求項９】
共沸もしくは共沸混合物様組成物を誘電体として使用する工程を含む方法であって、
前記共沸もしくは共沸混合物様組成物が、請求項１または２に記載の組成物である、方法。
【発明の詳細な説明】
【技術分野】
【０００１】
関連出願の相互参照
本出願は、２００８年６月２０日出願の米国仮特許出願第６１／０７４１７８号明細書、米国仮特許出願第６１／０７４１７９号明細書および米国仮特許出願第６１／０７４１８１号明細書の優先権を主張するものである。
【０００２】
本開示は、Ｚ−１，１，１，４，４，４−ヘキサフルオロ−２−ブテンの共沸もしくは共沸混合物様組成物に関する。
【背景技術】
【０００３】
多くの産業は、オゾン破壊性のクロロフルオロカーボン（ＣＦＣ）およびハイドロクロロフルオロカーボン（ＨＣＦＣ）の代替品を見いだすために過去数十年間取り組んできた。ＣＦＣおよびＨＣＦＣは、エアゾール噴射剤、冷媒、クリーニング剤、熱可塑性および熱硬化性発泡体用の膨張剤、熱媒、ガス状誘電体、消火剤および鎮火剤、動力サイクル作動流体、重合媒体、微粒子除去流体、キャリア流体、バフ研磨剤、および置換乾燥剤としてのそれらの使用をはじめとする、多種多様な用途に用いられてきた。これらの用途が広い化合物の代替品の探究で、多くの産業がハイドロフルオロカーボン（ＨＦＣ）の使用に乗り出してきた。
【発明の概要】
【発明が解決しようとする課題】
【０００４】
ＨＦＣは、成層圏オゾンの破壊に関与しないが、それらが「温室効果」に関与するために、すなわち、それらが地球温暖化に関与するために懸念されている。それらが地球温暖化に関与するため、ＨＦＣは監視下に置かれ、それらの広範囲に及ぶ使用もまた将来制限される可能性がある。このように、成層圏オゾンの破壊に関与せず、かつ、低い地球温暖化係数（ＧＷＰ）もまた有する組成物が必要とされている。１，１，１，４，４，４−ヘキサフルオロ−２−ブテン（ＣＦ3ＣＨ＝ＣＨＣＦ3、ＦＣ−１３３６ｍｚｚ）などの、特定のハイドロフルオロオレフィンは両方の目標を達成すると考えられる。
【課題を解決するための手段】
【０００５】
本出願には、３つの異なるタイプの共沸もしくは共沸混合物様混合物が含まれる。
【０００６】
本開示は、（ａ）Ｚ−ＦＣ−１３３６ｍｚｚと（ｂ）ジエチルエーテル（ＣＨ3ＣＨ2ＯＣＨ2ＣＨ3）とから本質的になる組成物であって、ジエチルエーテルがＺ−ＦＣ−１３３６ｍｚｚと共沸もしくは共沸混合物様混合物を形成するのに有効な量で存在する組成物を提供する。
【０００７】
本開示はまた、（ａ）Ｚ−ＦＣ−１３３６ｍｚｚと（ｂ）２−クロロプロパン（ＣＨ3ＣＨＣｌＣＨ3）とから本質的になる組成物であって、２−クロロプロパンがＺ−ＦＣ−１３３６ｍｚｚと共沸もしくは共沸混合物様混合物を形成するのに有効な量で存在する組成物を提供する。
【０００８】
本開示はまた、（ａ）Ｚ−ＦＣ−１３３６ｍｚｚと（ｂ）パーフルオロ（２−メチル−３−ペンタノン）（ＣＦ3ＣＦ2Ｃ（Ｏ）ＣＦ（ＣＦ3）2）とから本質的になる組成物であって、パーフルオロ（２−メチル−３−ペンタノン）がＺ−ＦＣ−１３３６ｍｚｚと共沸もしくは共沸混合物様混合物を形成するのに有効な量で存在する組成物を提供する。
【図面の簡単な説明】
【０００９】
【図１】Ｚ−ＦＣ−１３３６ｍｚｚとジエチルエーテルとから本質的になる共沸混合物および共沸混合物様組成物の約１２．０ｐｓｉａの圧力でのグラフ図である。
【図２】Ｚ−ＦＣ−１３３６ｍｚｚと２−クロロプロパンとから本質的になる共沸混合物および共沸混合物様組成物の約１２．０ｐｓｉａの圧力でのグラフ図である。
【図３】Ｚ−ＦＣ−１３３６ｍｚｚとパーフルオロ（２−メチル−３−ペンタノン）とから本質的になる共沸混合物および共沸混合物様組成物の約５０．０℃の温度でのグラフ図である。
【００１０】
多くの用途で、純粋な単一成分または共沸もしくは共沸混合物様混合物の使用が望ましい。例えば、発泡剤組成物（発泡体膨張剤または発泡体膨張組成物としても知られる）が純粋な単一成分または共沸もしくは共沸混合物様混合物でないとき、組成が発泡体形成プロセスでのその適用の間に変わる可能性がある。かかる組成の変化は、加工にひどい悪影響を及ぼすかまたはその適用で不十分な性能をもたらし得る。また、冷凍用途では、冷媒は、シャフトシール、ホース連結部、ハンダ付け接合部および破壊ラインでの漏洩によって運転中にしばしば失われる。加えて、冷媒は、冷凍設備の保全手順中に大気に放出される場合がある。冷媒が純粋な単一成分または共沸もしくは共沸混合物様組成物でない場合、冷媒組成は、冷凍設備から大気に漏洩するかまたは排出するときに変化する可能性がある。冷媒組成の変化により、冷媒が引火性になるかまたは不十分な冷凍性能を有するようになる。従って、これらのおよび他の用途において共沸もしくは共沸混合物様混合物、例えば、Ｚ−１，１，１，４，４，４−ヘキサフルオロ−２−ブテン（Ｚ−ＣＦ3ＣＨ＝ＣＨＣＦ3、Ｚ−ＦＣ−１３３６ｍｚｚ）を含有する共沸もしくは共沸混合物様混合物を使用することが必要とされている。
【００１１】
以下に記載される実施形態の詳細を取り上げる前に、幾つかの用語が定義されるかまたは明確にされる。
【００１２】
ＦＣ−１３３６ｍｚｚは、２つの立体配置異性体、ＥまたはＺの１つとして存在してもよい。ＦＣ−１３３６ｍｚｚは、本明細書で用いるところでは、異性体、Ｚ−ＦＣ−１３３６ｍｚｚまたはＥ−ＦＣ−１３３６ｍｚｚ、ならびにかかる異性体の任意の組み合わせまたは混合物を意味する。
【００１３】
本明細書で用いるところでは、用語「含む（ｃｏｍｐｒｉｓｅｓ）」、「含む（ｃｏｍｐｒｉｓｉｎｇ）」、「含まれる（ｉｎｃｌｕｄｅｓ）」、「をはじめとする（ｉｎｃｌｕｄｉｎｇ）」、「有する（ｈａｓ）」、「有する（ｈａｖｉｎｇ）」またはそれらの任意の他の変形は、非排他的な包含をカバーすることを意図される。例えば、要素のリストを含むプロセス、方法、物品、もしくは装置は、それらの要素のみに必ずしも限定されず、明確にリストされないか、またはかかるプロセス、方法、物品、もしくは装置に固有である他の要素を含んでもよい。さらに、相反する記載がない限り、「または」は、包含的な「または」を意味し、そして排他的な「または」を意味しない。例えば、条件ＡまたはＢは、次のいずれか１つで満たされる：Ａは真であり（または存在し）かつＢは偽である（存在しない）、Ａは偽であり（または存在せず）かつＢは真である（または存在する）、およびＡおよびＢの両方とも真である（または存在する）。
【００１４】
同様に、単数形（「ａ」または「ａｎ」）の使用は、本明細書に記載される要素および成分を記載するために採用される。これは、便宜上および本発明の範囲の一般的な意味を与えるために行われるにすぎない。この記載は、１つまたは少なくとも１つを包含すると読まれるべきであり、そして単数はまた、それが複数ではないことを意味することが明確でない限り複数を包含する。
【００１５】
特に明確にされない限り、本明細書に用いられる全ての技術的および科学的用語は、本発明が属する技術の当業者によって一般に理解されるものと同じ意味を有する。本明細書に記載されるものに類似のまたは等価の方法および材料を本発明の実施形態の実施または試験に用いることができるが、好適な方法および材料は以下に記載される。本明細書に言及される全ての刊行物、特許出願、特許、および他の参考文献は、特に節が言及されない限り、全体が参照により援用される。矛盾が生じた場合には、定義をはじめとして、本明細書が優先される。加えて、材料、方法、および実施例は例示的であるにすぎず、限定的であることを意図されない。
【００１６】
Ｚ−ＦＣ−１３３６ｍｚｚは公知の化合物であり、その製造方法は、例えば、全体を参照により本明細書によって援用される、米国特許出願公開第２００８／０２６９５３２号明細書に開示されている。
【００１７】
本出願には、Ｚ−ＦＣ−１３３６ｍｚｚを含む共沸もしくは共沸混合物様組成物が含まれる。
【００１８】
本発明の幾つかの実施形態では、本組成物は、ジエチルエーテルがＺ−ＦＣ−１３３６ｍｚｚと共沸もしくは共沸混合物様混合物を形成するのに有効な量で存在する、（ａ）Ｚ−ＦＣ−１３３６ｍｚｚと（ｂ）ジエチルエーテルとから本質的になる。
【００１９】
本発明の幾つかの実施形態では、本組成物は、２−クロロプロパンがＺ−ＦＣ−１３３６ｍｚｚと共沸もしくは共沸混合物様混合物を形成するのに有効な量で存在する、（ａ）Ｚ−ＦＣ−１３３６ｍｚｚと（ｂ）２−クロロプロパンとから本質的になる。
【００２０】
本発明の幾つかの実施形態では、本組成物は、パーフルオロ（２−メチル−３−ペンタノン）がＺ−ＦＣ−１３３６ｍｚｚと共沸もしくは共沸混合物様混合物を形成するのに有効な量で存在する、（ａ）Ｚ−ＦＣ−１３３６ｍｚｚと（ｂ）パーフルオロ（２−メチル−３−ペンタノン）とから本質的になる。
【００２１】
有効な量とは、Ｚ−ＦＣ−１３３６ｍｚｚと組み合わせられたときに、共沸もしくは共沸混合物様混合物の形成をもたらす量を意味する。この定義には、共沸もしくは共沸混合物様組成物が異なる圧力で、しかし可能性がある異なる沸点で存在し続ける限り、その量が組成物に加えられる圧力に依存して変わってもよい、各成分の量が含まれる。それ故、有効な量には、重量またはモル百分率で表され得る、本明細書に記載されるもの以外の温度または圧力で共沸もしくは共沸混合物様組成物を形成する本発明の組成物の各成分の量が含まれる。
【００２２】
当該技術分野で認められているように、共沸組成物は、２つ以上の異なる成分の混合剤であり、それは、所与の圧力下で液体形態にあるとき、実質的に一定温度で沸騰し、その温度は、個々の成分の沸騰温度より高いかまたは低くてもよく、かつ、それは沸騰中の全体液体組成と本質的に同一である蒸気組成を提供するであろう（例えば、Ｍ．Ｆ．Ｄｏｈｅｒｔｙ  ａｎｄ  Ｍ．Ｆ．Ｍａｌｏｎｅ、Ｃｏｎｃｅｐｔｕａｌ  Ｄｅｓｉｇｎ  ｏｆ  Ｄｉｓｔｉｌｌａｔｉｏｎ  Ｓｙｓｔｅｍｓ、ＭｃＧｒａｗ−Ｈｉｌｌ（Ｎｅｗ  Ｙｏｒｋ）、２００１年、１８５〜１８６、３５１〜３５９頁を参照されたい）。
【００２３】
従って、共沸組成物の本質的な特徴は、所与の圧力で、液体組成物の沸点が固定されていること、かつ、沸騰中の組成物の上方の蒸気の組成が本質的に、沸騰中の全体液体組成物の組成である（すなわち、液体組成物の成分の分留が全く起こらない）ことである。共沸組成物が異なる圧力で沸騰にかけられるときに、共沸組成物の各成分の沸点および重量百分率の両方が変わる場合があることもまた当該技術分野で認められている。従って、共沸組成物は、成分間に存在する特有の関係の観点からまたは成分の組成範囲の観点から、または指定圧力での固定沸点によって特徴付けられる組成物の各成分の正確な重量百分率
の観点から定義されてもよい。
【００２４】
本発明の目的のためには、共沸混合物様組成物は、共沸組成物のように挙動する（すなわち、定沸点特性または沸騰もしくは蒸発時に分留しない傾向を有する）組成物を意味する。それ故に、沸騰もしくは蒸発中に、気液組成は、それらが仮に変化する場合でも、最小限の程度または無視できる程度しか変化しない。これは、沸騰もしくは蒸発中に、気液組成がかなりの程度変化する非共沸混合物様組成物と対比されるべきである。
【００２５】
さらに、共沸混合物様組成物は、実質的に圧力差なしの露点圧力および沸点圧力を示す。すなわち、所与の温度での露点圧力と沸点圧力との差は小さな値であろう。本発明では、（沸点圧力を基準として）５パーセント以下の露点圧力と沸点圧力との差の組成物は共沸混合物様であると考えられる。
【００２６】
あるシステムの相対揮発度が１．０に近づくときに、そのシステムが共沸もしくは共沸混合物様組成物を形成すると定義されることはこの分野で認められている。相対揮発度は、成分１の揮発度対成分２の揮発度の比である。蒸気中のある成分のモル分率対液体中のそれの比がその成分の揮発度である。
【００２７】
任意の２つの化合物の相対揮発度を測定するために、ＰＴｘ法として知られる方法を用いることができる。気液平衡（ＶＬＥ）、それ故に相対揮発度は、等温的にかそれとも等圧的に測定することができる。等温法は、一定温度での既知組成の混合物の全圧の測定を必要とする。この手順では、既知容量のセルにおける全絶対圧力が２つの化合物の様々な組成について一定温度で測定される。等圧法は、一定圧力での既知組成の混合物の温度の測定を必要とする。この手順では、既知容量のセルにおける温度が２つの化合物の様々な組成について一定圧力で測定される。ＰＴｘ法の使用は、参照により本明細書によって援用される、Ｈａｒｏｌｄ  Ｒ．Ｎｕｌｌ著、「Ｐｈａｓｅ  Ｅｑｕｉｌｉｂｒｉｕｍ  ｉｎ  Ｐｒｏｃｅｓｓ  Ｄｅｓｉｇｎ」、Ｗｉｌｅｙ−Ｉｎｔｅｒｓｃｉｅｎｃｅ  Ｐｕｂｌｉｓｈｅｒ、１９７０年、１２４〜１２６頁に詳細に記載されている。
【００２８】
これらの測定値は、液相非理想を表すための、非ランダム２液体（Ｎｏｎ−Ｒａｎｄｏｍ、Ｔｗｏ−Ｌｉｑｕｉｄ）（ＮＲＴＬ）方程式などの、活量係数方程式モデルを用いることによってＰＴｘセルにおける平衡気液組成へ換算することができる。ＮＲＴＬ方程式などの、滑量係数方程式の使用は、Ｒｅｉｄ、Ｐｒａｕｓｎｉｔｚ  ａｎｄ  Ｐｏｌｉｎｇ著、「Ｔｈｅ  Ｐｒｏｐｅｒｔｉｅｓ  ｏｆ  Ｇａｓｅｓ  ａｎｄ  Ｌｉｑｕｉｄｓ」、第４版、ＭｃＧｒａｗ  Ｈｉｌｌ、２４１〜３８７頁に、ならびにＳｔａｎｌｅｙ  Ｍ．Ｗａｌａｓ著、「Ｐｈａｓｅ  Ｅｑｕｉｌｉｂｒｉａ  ｉｎ  Ｃｈｅｍｉｃａｌ  Ｅｎｇｉｎｅｅｒｉｎｇ」、Ｂｕｔｔｅｒｗｏｒｔｈ  Ｐｕｂｌｉｓｈｅｒｓ、１９８５年、１６５〜２４４頁に詳細に記載されている。前述の両参考文献は参照により本明細書によって援用される。いかなる理論または説明にも制約されることなく、ＰＴｘセルデータと一緒に、ＮＲＴＬ方程式は本発明のＺ−１，１，１，４，４，４−ヘキサフルオロ−２−ブテン含有組成物の相対揮発度を十分に予測することができ、かつ、蒸留塔などの多段階分離設備におけるこれらの混合物の挙動をそれ故に予測することができると考えられる。
【００２９】
Ｚ−ＦＣ−１３３６ｍｚｚとジエチルエーテルとは共沸もしくは共沸混合物様組成物を形成することが実験によって見いだされた。
【００３０】
この２成分ペアの相対揮発度を測定するために、上記のＰＴｘ法が用いられた。様々な２成分組成について、既知容量のＰＴｘセルにおける温度が一定圧力で測定された。これらの測定値は次に、ＮＲＴＬ方程式を用いてセルにおける平衡気液組成に変換された。
【００３１】
Ｚ−ＦＣ−１３３６ｍｚｚ／ジエチルエーテル混合物についてＰＴｘセルにおける測定温度対組成が図１に示され、図１は、１２．０ｐｓｉａ（８３ｋＰａ）の圧力で組成の範囲にわたって最低温度（約２７．５℃）を有する約６６．８モル％のＺ−１，１，１，４，４，４−ヘキサフルオロ−２−ブテンと３３．２モル％のジエチルエーテルとの混合物で示されるように、Ｚ−ＦＣ−１３３６ｍｚｚとジエチルエーテルとから本質的になる共沸および共沸混合物様組成物の形成をグラフで例示する。これらの結果に基づき、Ｚ−ＦＣ−１３３６ｍｚｚとジエチルエーテルとは約４６．８モルパーセント〜約９７．１モルパーセントのＺ−ＦＣ−１３３６ｍｚｚおよび約２．９モルパーセント〜約５３．２モルパーセントのジエチルエーテルの範囲の共沸組成物を形成する（それらは約−５０℃〜約１６０℃の温度でおよび約０．２ｐｓｉａ（１．４ｋＰａ）〜約３４２ｐｓｉａ（２３５８ｋＰａ）の圧力で沸騰する共沸組成物を形成する）と計算された。例えば、３３．０℃および大気圧（１４．７ｐｓｉａ、１０１ｋＰａ）で、共沸組成物は６８．８モル％のＺ−１，１，１，４，４，４−ヘキサフルオロ−２−ブテンおよび３１．２モル％のジエチルエーテルである。
【００３２】
共沸組成物の幾つかの実施形態を表１に示す。
【００３３】
【表１】
0005957493.tif 000002
【００３４】
さらに、Ｚ−ＦＣ−１３３６ｍｚｚとジエチルエーテルとを含有する共沸混合物様組成物もまた形成され得る。かかる共沸混合物様組成物は、共沸組成物の周りに存在する。共沸混合物様組成物の幾つかの実施形態を表２に示す。共沸混合物様組成物の幾つかの追加の実施形態を表３に示す。
【００３５】
【表２】
0005957493.tif 000003
【００３６】
【表３】
0005957493.tif 000004
【００３７】
Ｚ−ＦＣ−１３３６ｍｚｚと２−クロロプロパンとは共沸もしくは共沸混合物様組成物を形成することが実験によって見いだされた。この２成分ペアの相対揮発度を測定するために、上記のＰＴｘ法が用いられた。様々な２成分組成について、既知容量のＰＴｘセルにおける温度が一定圧力で測定された。これらの測定値は次に、ＮＲＴＬ方程式を用いてセルにおける平衡気液組成に変換された。
【００３８】
Ｚ−ＦＣ−１３３６ｍｚｚ／２−クロロプロパン混合物についてＰＴｘセルにおける測定温度対組成が図２に示され、図２は、１２．０ｐｓｉａの圧力で組成の範囲にわたって最低温度（約２４．３℃）を有する約５０．７モル％のＺ−１，１，１，４，４，４−ヘキサフルオロ−２−ブテンと４９．３モル％の２−クロロプロパンとの混合物で示される
ように、約１２．０ｐｓｉａでのＺ−１，１，１，４，４，４−ヘキサフルオロ−２−ブテンと２−クロロプロパンとの共沸組成物の形成をグラフで例示する。
【００３９】
これらの結果に基づき、Ｚ−ＦＣ−１３３６ｍｚｚと２−クロロプロパンとは約３３．３モルパーセント〜約９８．７モルパーセントのＺ−ＦＣ−１３３６ｍｚｚおよび約１．３モルパーセント〜約６６．７モルパーセントの２−クロロプロパンの範囲の共沸組成物を形成する（それらは約−５０℃〜約１６０℃の温度でおよび約０．２ｐｓｉａ（１．４ｋＰａ）〜約３４２ｐｓｉａ（２３５８ｋＰａ）の圧力で沸騰する共沸組成物を形成する）と計算された。例えば、２９．８℃および大気圧（１４．７ｐｓｉａ、１０１ｋＰａ）で、共沸組成物は５１．７モル％のＺ−１，１，１，４，４，４−ヘキサフルオロ−２−ブテンおよび４８．３モル％の２−クロロプロパンである。
【００４０】
共沸組成物の幾つかの実施形態を表４に示す。
【００４１】
【表４】
0005957493.tif 000005
【００４２】
さらに、Ｚ−ＦＣ−１３３６ｍｚｚと２−クロロプロパンとを含有する共沸混合物様組成物もまた形成され得る。かかる共沸混合物様組成物は、共沸組成物の周りに存在する。共沸混合物様組成物の幾つかの実施形態を表５に示す。共沸混合物様組成物の幾つかの追加の実施形態を表６に示す。
【００４３】
【表５】
0005957493.tif 000006
【００４４】
【表６】
0005957493.tif 000007
【００４５】
Ｚ−ＦＣ−１３３６ｍｚｚとパーフルオロ（２−メチル−３−ペンタノン）とは共沸もしくは共沸混合物様組成物を形成することが実験によって見いだされた。この２成分ペアの相対揮発度を測定するために、上記のＰＴｘ法が用いられた。様々な２成分組成について、既知容量のＰＴｘセルにおける全絶対圧力が一定温度で測定された。これらの測定値は次に、ＮＲＴＬ方程式を用いてセルにおける平衡気液組成に変換された。
【００４６】
Ｚ−ＦＣ−１３３６ｍｚｚ／パーフルオロ（２−メチル−３−ペンタノン）混合物についてＰＴｘセルにおける測定蒸気圧対組成が図３に示され、図３は、約５０．０℃で組成の範囲にわたって最高圧力（２６．７ｐｓｉａ）を有する約８２．７モル％のＺ−１，１，１，４，４，４−ヘキサフルオロ−２−ブテンと１７．３モル％のパーフルオロ（２−メチル−３−ペンタノン）との混合物で示されるように、約５０．０℃でのＺ−１，１，１，４，４，４−ヘキサフルオロ−２−ブテンとパーフルオロ（２−メチル−３−ペンタノン）との共沸混合物および共沸混合物様組成物の形成をグラフで例示する。
【００４７】
これらの結果に基づき、Ｚ−ＦＣ−１３３６ｍｚｚとパーフルオロ（２−メチル−３−ペンタノン）とは約６８．９モルパーセント〜約８７．４モルパーセントのＺ−ＦＣ−１３３６ｍｚｚおよび約１２．６モルパーセント〜約３１．１モルパーセントのパーフルオロ（２−メチル−３−ペンタノン）の範囲の共沸組成物を形成する（それらは約−５０℃〜約１４０℃の温度でおよび約０．２ｐｓｉａ（１．４ｋＰａ）〜約２５０ｐｓｉａ（１７２４ｋＰａ）の圧力で沸騰する共沸組成物を形成する）と計算された。例えば、３２．６℃および大気圧（１４．７ｐｓｉａ、１０１ｋＰａ）で、共沸組成物は８２．６モル％のＺ−１，１，１，４，４，４−ヘキサフルオロ−２−ブテンおよび１７．４モル％のパーフルオロ（２−メチル−３−ペンタノン）である。
【００４８】
共沸組成物の幾つかの実施形態を表７に示す。
【００４９】
【表７】
0005957493.tif 000008
【００５０】
さらに、Ｚ−ＦＣ−１３３６ｍｚｚとパーフルオロ（２−メチル−３−ペンタノン）とを含有する共沸混合物様組成物もまた形成され得る。かかる共沸混合物様組成物は、共沸組成物の周りに存在する。共沸混合物様組成物の幾つかの実施形態を表８に示す。共沸混合物様組成物の幾つかの追加の実施形態を表９に示す。
【００５１】
【表８】
0005957493.tif 000009
【００５２】
【表９】
0005957493.tif 000010
【００５３】
本発明の共沸もしくは共沸混合物様組成物は、所望の量の混合または組み合わせをはじめとする任意の従来の方法によって調製することができる。本発明の一実施形態では、共沸もしくは共沸混合物様組成物は、所望の成分量を秤量し、その後適切な容器でそれらを組み合わせることによって調製することができる。
【００５４】
本発明の共沸もしくは共沸混合物様組成物は、エアゾール噴射剤、冷媒、溶媒、クリーニング剤、熱可塑性および熱硬化性発泡体用の発泡剤（発泡体膨張剤）、熱媒、ガス状誘電体、消火剤および鎮火剤、動力サイクル作動流体、重合媒体、微粒子除去流体、キャリア流体、バフ研磨剤、および置換乾燥剤としてのそれらの使用をはじめとする、広範囲の用途に使用することができる。
【００５５】
本発明の一実施形態は、熱可塑性または熱硬化性発泡体の製造方法を提供する。本方法は、共沸もしくは共沸混合物様組成物を発泡剤として使用する工程を含み、ここで、前記共沸もしくは共沸混合物様組成物は、Ｚ−１，１，１，４，４，４−ヘキサフルオロ−２−ブテンと、ジエチルエーテル、２−クロロプロパン、およびパーフルオロ（２−メチル−３−ペンタノン）からなる群から選択される成分とから本質的になる。
【００５６】
本発明の別の実施形態は、冷却を行うための方法を提供する。本方法は、共沸もしくは共沸混合物様組成物を凝縮させる工程と、その後冷却されるべき本体の近くで前記共沸もしくは共沸混合物様組成物を蒸発させる工程とを含み、ここで、前記共沸もしくは共沸混合物様組成物は、Ｚ−１，１，１，４，４，４−ヘキサフルオロ−２−ブテンと、ジエチルエーテル、２−クロロプロパン、およびパーフルオロ（２−メチル−３−ペンタノン）からなる群から選択される成分とから本質的になる。
【００５７】
本発明の別の実施形態は、共沸もしくは共沸混合物様組成物を溶媒として使用する方法であって、前記共沸もしくは共沸混合物様組成物が、Ｚ−１，１，１，４，４，４−ヘキサフルオロ−２−ブテンと、ジエチルエーテル、２−クロロプロパン、およびパーフルオロ（２−メチル−３−ペンタノン）からなる群から選択される成分とから本質的になる方法を提供する。
【００５８】
本発明の別の実施形態は、エアゾール製品の製造方法を提供する。本方法は、共沸もしくは共沸混合物様組成物を噴射剤として使用する工程を含み、ここで、前記共沸もしくは共沸混合物様組成物は、Ｚ−１，１，１，４，４，４−ヘキサフルオロ−２−ブテンと、ジエチルエーテル、２−クロロプロパン、およびパーフルオロ（２−メチル−３−ペンタノン）からなる群から選択される成分とから本質的になる。
【００５９】
本発明の別の実施形態は、共沸もしくは共沸混合物様組成物を熱媒として使用する方法であって、前記共沸もしくは共沸混合物様組成物が、Ｚ−１，１，１，４，４，４−ヘキサフルオロ−２−ブテンと、ジエチルエーテル、２−クロロプロパン、およびパーフルオロ（２−メチル−３−ペンタノン）からなる群から選択される成分とから本質的になる方法を提供する。
【００６０】
本発明の別の実施形態は、消火または鎮火方法を提供する。本方法は、共沸もしくは共沸混合物様組成物を消火剤または鎮火剤として使用する工程を含み、ここで、前記共沸もしくは共沸混合物様組成物は、Ｚ−１，１，１，４，４，４−ヘキサフルオロ−２−ブテンと、ジエチルエーテル、２−クロロプロパン、およびパーフルオロ（２−メチル−３−ペンタノン）からなる群から選択される成分とから本質的になる。
【００６１】
本発明の別の実施形態は、共沸もしくは共沸混合物様組成物を誘電体として使用する方法であって、前記共沸もしくは共沸混合物様組成物が、Ｚ−１，１，１，４，４，４−ヘキサフルオロ−２−ブテンと、ジエチルエーテル、２−クロロプロパン、およびパーフルオロ（２−メチル−３−ペンタノン）からなる群から選択される成分とから本質的になる方法を提供する。
【図１】
0005957493.tif 000011
【図２】
0005957493.tif 000012
【図３】
0005957493.tif 000013